(57)【要約】      （修正有）【課題】海に投入された後に、沈みやすい構成を有した鯛釣り用の錘を提供する。【解決手段】鯛釣り用の仕掛けを構成する錘Ａであり、半球状をなす上部分と、山形状をなす下部分２とを備えており、前記上部分と前記下部分とを主体にして錘本体Ｂが構成されている。前記錘本体に上下方向に延びる貫通孔Ｈが設けられており、前記貫通孔における下側の開口部が前記下部分に形成されている。そして、前記下部分が、少なくとも、その最下端点と前記下側の開口部との間との間を繋ぐ位置であり、且つ、互いに異なる方向を向く態様で配設された対をなす平面部分が接続する位置に形成された稜線部を備えている。【選択図】図６
2019050806.tif 000002
【特許請求の範囲】
【請求項１】
鯛釣り用の仕掛けを構成する錘であって、
半球状をなす上部分と、この上部分の下に一体に設けられ正面視及び背面視においてそれぞれ下方に向かって漸次幅狭に形成された下向き山形状をなす下部分とを備え、前記上部分及び前記下部分によって錘本体が構成されており、
前記錘本体における左右方向中間部且つ前記錘本体における前後方向中間部よりも前の位置に、ラインを挿通させるための上下方向に延びる貫通孔が設けられており、
前記貫通孔における上側の開口部が前記上部分に形成されたものであり、前記貫通孔における下側の開口部が前記下部分に形成されたものであって、
前記下部分が、互いに異なる方向を向く対をなす平面部分を備えており、これら対をなす平面部分同士が接続するとともに前記下部分の最下端点と前記下側の開口部との間を繋ぐ位置に下方に凸をなす稜線部が形成されている錘。
【請求項２】
前記下部分が、左右に離間して配された対をなす揺動惹起面を備えたものであり、この揺動惹起面が斜め下方を向いた平面状をなしている請求項１記載の錘。
【請求項３】
前記錘本体が、タングステンを主体に作られたものである請求項１又は２記載の錘。
【発明の詳細な説明】
【技術分野】
【０００１】
本発明は、鯛釣り用の仕掛けを構成する錘に関するものである。
【背景技術】
【０００２】
従来から、鯛釣り用の仕掛けとして錘が使用されている（例えば特許文献１参照）
この種の錘は全体として球体状をなしているものが通常である。このため、従来の錘は、下部が球体面をなしていることに起因して、海に投入された後に水の抵抗を受けやすく沈みにくいという不具合があった。
【先行技術文献】
【特許文献】
【０００３】
【特許文献１】実用新案登録第３１９４１８５号公報
【発明の概要】
【発明が解決しようとする課題】
【０００４】
本発明は、このような課題に着目してなされたものであって、主たる目的は、海に投入された後に、沈みやすい構成を有した鯛釣り用の錘を提供することにある。
【課題を解決するための手段】
【０００５】
すなわち、本発明は次の構成をなしている。
【０００６】
請求項１に記載の発明は、鯛釣り用の仕掛けを構成する錘であって、半球状をなす上部分と、この上部分の下に一体に設けられ正面視及び背面視においてそれぞれ下方に向かって漸次幅狭に形成された下向き山形状をなす下部分とを備え、前記上部分及び前記下部分によって錘本体が構成されており、前記錘本体における左右方向中間部且つ前記錘本体における前後方向中間部よりも前の位置に、ラインを挿通させるための上下方向に延びる貫通孔が設けられており、前記貫通孔における上側の開口部が前記上部分に形成されたものであり、前記貫通孔における下側の開口部が前記下部分に形成されたものであって、前記下部分が、互いに異なる方向を向く対をなす平面部分を備えており、これら対をなす平面部分同士が接続するとともに前記下部分の最下端点と前記下側の開口部との間を繋ぐ位置に下方に凸をなす稜線部が形成されている錘である。
【０００７】
請求項２に記載の発明は、前記下部分が、左右に離間して配された対をなす揺動惹起面を備えたものであり、この揺動惹起面が斜め下方を向いた平面状をなしている請求項１記載の錘である。
【０００８】
請求項３に記載の発明は、前記錘本体が、タングステンを主体に作られたものである請求項１又は２記載の錘である。
【発明の効果】
【０００９】
以上説明したように本発明によれば、海に投入された後に、沈みやすい構成を有した鯛釣り用の錘を提供することができるものとなる。
【図面の簡単な説明】
【００１０】
【図１】本発明の一実施形態を示す斜視図。
【図２】同実施形態における正面図。
【図３】同実施形態における背面図。
【図４】同実施形態における右側面図。
【図５】同実施形態における平面図。
【図６】同実施形態における底面図。
【図７】図２におけるＸ−Ｘ線断面図。
【図８】図４におけるＹ−Ｙ線断面図。
【図９】図４におけるＺ−Ｚ線断面図。
【発明を実施するための形態】
【００１１】
以下、本発明の一実施形態を、図１〜９を参照して説明する。
【００１２】
鯛釣り用の仕掛けＫは、図１に示すように、錘Ａと、この錘Ａに形成された貫通孔Ｈ内に挿通されるラインＬと、このラインＬの先端側に設けられた図示しない釣り針や釣り針を有した疑似餌とを備えている。
【００１３】
ラインＬは釣り糸とも称される合成樹脂製のものである。なお、錘Ａの貫通孔Ｈを通過したラインＬの先端側部分Ｌ１には、所定の位置に貫通孔Ｈよりも大きな図示しない抜け止め部材が取り付けられており、ラインＬの先端側部分Ｌ１が貫通孔Ｈから抜けないようになっている。
【００１４】
錘Ａは、鯛釣り用の仕掛けＫを構成するものである。以下、この錘Ａについて詳述する。
【００１５】
錘Ａは、半球状をなす上部分１と、この上部分１の下に一体に設けられ正面視、及び、背面視においてそれぞれ下方に向かって漸次幅狭に形成された下向き山形状をなす下部分２とを備えている。
【００１６】
この錘Ａは、上部分１及び下部分２によって錘本体Ｂが構成されている。この実施形態では、錘本体Ｂは、タングステンを主体に作られている。
【００１７】
錘本体Ｂにおける左右方向中間部の位置、及び、錘本体Ｂにおける前後方向中間部よりも前の位置には、ラインＬを挿通させるための上下方向に延びる貫通孔Ｈが設けられている。換言すれば、錘本体Ｂにおける前寄りの部位には、上下方向に延びたラインＬ挿通用の貫通孔Ｈが形成されている。貫通孔Ｈにおける上側の開口部ｈ１は、上部分１に形成されている。貫通孔Ｈにおける下側の開口部ｈ２は、下部分２に形成されている。
【００１８】
錘本体Ｂは、正面視及び背面視において、左右対称形状をなしている。錘本体Ｂは、正面視及び背面視における左右方向中間部に略全周に亘って連続した稜線が形成されている。
【００１９】
上部分１は、上向きに凸をなす半球状をなしたものである。
【００２０】
下部分２は、正面視及び背面視において下向きに凸をなした略下向き三角形状をなしている。下部分２は、下端部の近傍に、互いに異なる方向を向く対をなす平面部分である左の平面部分ｍ１及び右の平面部分ｍ２を備えている。対をなす左右の平面部分ｍ１、ｍ２は、下側の開口部ｈ２に隣接する位置に設けられており、且つ、下部分２における最下端点ｓ（最も下に位置する点）の近傍に位置している。
【００２１】
下部分２には、対をなす左右の平面部分ｍ１、ｍ２同士が接続するとともに下部分２の最下端点ｓと下側の開口部ｈ２との間を繋ぐ位置に下方に凸をなす稜線部Ｒが形成されている。
【００２２】
下部分２は、その上部に、左右に離間して配された対をなす揺動惹起面である左の揺動惹起面ｊ１及び右の揺動惹起面ｊ２を備えている。左右の揺動惹起面ｊ１、ｊ２は、斜め下方を向いた平面状をなしている。左右の揺動惹起面ｊ１、ｊ２は、海中で引き上げられた際に錘本体Ｂを揺れ動かす役割をなしている。
【００２３】
このように、本実施形態に係る錘Ａは、鯛釣り用の仕掛けＫを構成するものである。そして、錘Ａは、半球状をなす上部分１と、この上部分１の下に一体に設けられ正面視及び背面視においてそれぞれ下方に向かって漸次幅狭に形成された下向き山形状をなす下部分２とを備えている。上部分１及び下部分２によって錘本体Ｂが構成されている。錘本体Ｂにおける左右方向中間部、及び、錘本体Ｂにおける前後方向中間部よりも前に、ラインＬを挿通させるための上下方向に延びる貫通孔Ｈが設けられている。そして、貫通孔Ｈにおける上側の開口部ｈ１が上部分１に形成されており、貫通孔Ｈにおける下側の開口部ｈ２が下部分２に形成されている。下部分２は、互いに異なる方向を向く対をなす左右の平面部分ｍ１、ｍ２を備えており、これら対をなす左右の平面部分ｍ１、ｍ２同士が接続するとともに下部分２の最下端点ｓと下側の開口部ｈ２との間を繋ぐ位置に下方に凸をなす稜線部Ｒが形成されている。
【００２４】
このため、海に投入された後に、海底側に向かって沈みやすい構成を有した鯛釣り用の錘Ａを提供することができるものとなる。つまり、この錘Ａは、下部分２が下向き山形状をなしており、その最下端点ｓと下側の開口部ｈ２との間を繋ぐ位置に下方に凸をなす稜線部Ｒが形成されており、しかも、その稜線部Ｒは、対をなす左右の平面部分ｍ１、ｍ２同士が接続する位置に形成されているものとなっている。このため、錘Ａは、稜線部Ｒ及び左右の平面部分ｍ１、ｍ２の存在によって海水による抵抗を可及的に減少させ得るものとなり従来の球体状のものと比較して、早く海底側に沈み得るものとなっている。
【００２５】
下部分２が、左右に離間して配された対をなす左右の揺動惹起面ｊ１、ｊ２を備えたものであり、左右の揺動惹起面ｊ１、ｊ２が斜め下方を向いた平面状をなしている。このため、沈ませた錘Ａを引き上げる際に、鯛に注意を及ぼし得る所定の揺れ動きを引き起こすことができるものとなっている。
【００２６】
錘本体Ｂが、タングステンを主体に作られたものであるため、海中に沈みやすい所定の重さを実現しやすいものとなっている。
【００２７】
なお、本発明は、以上に詳述した実施形態に限られるものではない。
【００２８】
例えば、錘本体の外面には、鯛に覚知させやすくするための種々の形状の反射板を設けるようにしてもよい。
【００２９】
その他、各部の具体的構成についても上記実施形態に限られるものではなく、本発明の趣旨を逸脱しない範囲で種々変形が可能である。
【符号の説明】
【００３０】
Ａ…錘
Ｂ…錘本体
１…上部分
２…下部分
Ｈ…貫通孔
【図１】
2019050806.tif 000003
【図２】
2019050806.tif 000004
【図３】
2019050806.tif 000005
【図４】
2019050806.tif 000006
【図５】
2019050806.tif 000007
【図６】
2019050806.tif 000008
【図７】
2019050806.tif 000009
【図８】
2019050806.tif 000010
【図９】
2019050806.tif 000011